(57)【要約】【課題】中間熱交換器を備えた二段圧縮冷凍サイクルにおいて、中間熱交換器における冷凍機油の滞留を抑制することで、圧縮機の信頼性を向上させた冷凍サイクル装置を提供すること。【解決手段】低段圧縮機構２２ａと高段圧縮機構２２ｂからなる二段圧縮機２２を備えたメイン冷媒回路２１と、メイン冷媒回路２１から一部の冷媒が分岐して減圧され、メイン冷媒回路２１の高圧冷媒と熱交換するエコノマイザ２４を備えたバイパス冷媒回路３１とからなる二段圧縮冷凍サイクルにおいて、エコノマイザ２４の高圧冷媒が流れる１次側流路２４ａの流路断面積Ａ１より、中間圧冷媒が流れる２次側流路２４ｂの流路断面積Ａ２を小さくすることにより、２次側流路２４ｂでの冷媒の流速が上昇し、冷凍機油がエコノマイザ２４内に滞留することなく二段圧縮機２２に戻りやすくなり、圧縮機の信頼性を向上させた冷凍サイクル装置を提供できる。【選択図】図２
2019158189.tif 000002
【特許請求の範囲】
【請求項１】
低段圧縮機構と高段圧縮機構からなる二段圧縮機、前記二段圧縮機から吐出された冷媒により利用側熱媒体が加熱される利用側熱交換器、中間熱交換器、メイン膨張装置、熱源側熱交換器が順次接続され形成されているメイン冷媒回路と、
前記利用側熱交換器と前記中間熱交換器との間、または、前記中間熱交換器と前記メイン膨張装置との間から分岐され、バイパス膨張装置および前記中間熱交換器を有し、前記利用側熱交換器通過後、または、前記中間熱交換器通過後の冷媒の一部が、前記バイパス膨張装置により減圧された後、前記中間熱交換器において、前記メイン冷媒回路を流れる冷媒と熱交換され、その後、前記低段圧縮機構と前記高段圧縮機構との間の冷媒に合流されるバイパス冷媒回路と、
を備え、
前記中間熱交換器において、前記メイン冷媒回路の冷媒が流れる流路を１次側流路とし、前記バイパス膨張装置により減圧された後の冷媒が流れる流路を２次側流路としたとき、前記１次側流路の流路断面積より、前記２次側流路の流路断面積は小さく形成されている冷凍サイクル装置。
【請求項２】
前記２次側流路において、少なくとも終端部に向かって流れる冷媒の流れは、上方側から下方側に向かう流れである請求項１に記載の冷凍サイクル装置。
【請求項３】
前記中間熱交換器はプレート熱交換器であり、前記１次側流路を形成するプレート間隔より、前記２次側流路を形成するプレート間隔の方が短い請求項１または２に記載の冷凍サイクル装置。
【請求項４】
前記冷媒は二酸化炭素である請求項１〜３のいずれか１項に記載の冷凍サイクル装置。
【請求項５】
前記利用側熱媒体は、水または不凍液で、請求項１〜４のいずれか１項に記載の冷凍サイクル装置を備えた温水生成装置。
【発明の詳細な説明】
【技術分野】
【０００１】
本発明は、冷凍サイクル装置に関するものである。
【背景技術】
【０００２】
従来、この種の冷凍サイクル装置としては、低段圧縮機構と高段圧縮機構を有する二段圧縮機を用い、放熱器と中間熱交換器の間から分岐した冷媒のうち、一方がメイン膨張弁に流れ、他方がバイパス膨張弁で減圧された後に、一方の冷媒と熱交換し、低段圧縮機機構と高段圧縮機構との間に流れるバイパス冷媒回路を備える構成が開示されている。
【０００３】
図６は、従来の冷凍装置を示すものである（例えば、特許文献１参照）。図６に示すように冷凍装置は、二段圧縮サイクルにより構成されており、放熱器１０５から出た冷媒は二つの流れに分流され、第１の冷媒流は、補助膨張弁１０９を経て、中間熱交換器１０７の第１の流路を流れ、低段側圧縮要素１０１と高段側圧縮要素１０４の間に戻される。
【０００４】
一方、第２の冷媒流は、中間熱交換器１０７の第２の流路に流れた後、主絞り手段である主膨張弁１０６を経て、蒸発器１０８に流れることにより、中間熱交換器１０７にて第１の冷媒流と第２の冷媒流とが熱交換される。
【０００５】
そして、蒸発器１０８から出た冷媒は、低段側圧縮要素１０１（圧縮要素の低圧部）に吸入され、中間熱交換器１０７から出た第１の冷媒流と合流して、高段側圧縮要素１０４（圧縮要素の中間圧部）に吸入される。
【先行技術文献】
【特許文献】
【０００６】
【特許文献１】特許第４８２０１８０号公報
【発明の概要】
【発明が解決しようとする課題】
【０００７】
しかしながら、前記従来の中間熱交換器を備えた二段圧縮冷凍サイクルでは、放熱器と中間熱交換器の間から分岐した冷媒が、補助膨張弁で減圧した後に、中間熱交換器に流入するが、２つに分岐された後の中間圧側の冷媒流量は、高圧側流量に対して少なくなる場合が多く、その場合、圧縮機から冷媒とともに吐出されて中間熱交換器に流入する冷凍機油の流速も低下してしまい、冷凍機油が中間熱交換器内に滞留して、圧縮機へ戻る冷凍機油の量が減少し、圧縮機内の冷凍機油が不足する問題が生じるという課題を有していた。
【０００８】
本発明は、前記従来の課題を解決するもので、主冷媒回路から分岐して低段圧縮機機構と高段圧縮機構との間に戻される副冷媒回路に中間熱交換器を備えた二段圧縮冷凍サイクルにおいて、中間熱交換器における冷凍機油の滞留を抑制することで、圧縮機の信頼性を向上させた冷凍サイクル装置を提供することを目的とする。
【課題を解決するための手段】
【０００９】
前記従来の課題を解決するために、本発明の冷凍サイクル装置は、低段圧縮機構と高段圧縮機構からなる二段圧縮機、前記二段圧縮機から吐出された冷媒により利用側熱媒体が加熱される利用側熱交換器、中間熱交換器、メイン膨張装置、熱源側熱交換器が順次接続され形成されているメイン冷媒回路と、前記利用側熱交換器と前記中間熱交換器との間、または、前記中間熱交換器と前記メイン膨張装置との間から分岐され、バイパス膨張装置および前記中間熱交換器を有し、前記利用側熱交換器通過後、または、前記中間熱交換器通過後の冷媒の一部が、前記バイパス膨張装置により減圧された後、前記中間熱交換器において、前記メイン冷媒回路を流れる冷媒と熱交換され、その後、前記低段圧縮機構と前記高段圧縮機構との間の冷媒に合流されるバイパス冷媒回路と、を備え、前記中間熱交換器において、前記メイン冷媒回路の冷媒が流れる流路を１次側流路とし、前記バイパス膨張装置により減圧された後の冷媒が流れる流路を２次側流路としたとき、前記１次側流路の流路断面積より、前記２次側流路の流路断面積は小さく形成されている。
【００１０】
これにより、高圧冷媒が流れる１次側流路の流路断面積Ａ１より、中間圧冷媒が流れる２次側流路の流路断面積Ａ２が小さい（Ａ１＞Ａ２）ため、流路断面積が同一の場合に対して、中間圧側では冷媒、および冷凍機油の流速が上昇する。
【００１１】
従って、メイン冷媒回路からバイパス冷媒回路に分岐された冷媒とともに流れる冷凍機油の流速は、中間熱交換器内で高くなるため、冷凍機油は冷媒とともに移動しやすくなり、中間熱交換器における冷凍機油の滞留を抑制でき、低段圧縮機構と高段圧縮機構との間に戻りやすくなるため、圧縮機の摺動部における潤滑性の確保により、圧縮機の信頼性を向上させた冷凍サイクル装置を提供できる。
【発明の効果】
【００１２】
本発明によれば、主冷媒回路から分岐して低段圧縮機機構と高段圧縮機構との間に戻される副冷媒回路に中間熱交換器を備えた二段圧縮冷凍サイクルにおいて、中間熱交換器における冷凍機油の滞留を抑制することで、圧縮機の信頼性を向上させた冷凍サイクル装置を提供できる。
【図面の簡単な説明】
【００１３】
【図１】本発明の実施の形態１における冷凍サイクル装置の概略構成図
【図２】（ａ）同冷凍サイクル装置の中間熱交換器（二重管熱交換器）の概略構成図（ｂ）図２（ａ）のＣ部拡大図
【図３】本発明の実施の形態１における同冷凍サイクル装置の理想条件での圧力―エンタルピー線図（Ｐ−ｈ線図）
【図４】（ａ）本発明の実施の形態１における冷凍サイクル装置の中間熱交換器（プレート熱交換器）の概略断面図（ｂ）同冷凍サイクル装置の中間熱交換器（プレート熱交換器）の概略斜視図
【図５】本発明の実施の形態１における冷凍サイクル装置の中間熱交換器（プレート熱交換器）の設置の形態を示す図
【図６】従来の冷凍サイクル装置の概略構成図
【発明を実施するための形態】
【００１４】
第１の発明は、低段圧縮機構と高段圧縮機構からなる二段圧縮機、前記二段圧縮機から吐出された冷媒により利用側熱媒体が加熱される利用側熱交換器、中間熱交換器、メイン膨張装置、熱源側熱交換器が順次接続され形成されているメイン冷媒回路と、前記利用側熱交換器と前記中間熱交換器との間、または、前記中間熱交換器と前記メイン膨張装置との間から分岐され、バイパス膨張装置および前記中間熱交換器を有し、前記利用側熱交換器通過後、または、前記中間熱交換器通過後の冷媒の一部が、前記バイパス膨張装置により減圧された後、前記中間熱交換器において、前記メイン冷媒回路を流れる冷媒と熱交換され、その後、前記低段圧縮機構と前記高段圧縮機構との間の冷媒に合流されるバイパス冷媒回路と、を備え、前記中間熱交換器において、前記メイン冷媒回路の冷媒が流れる流路を１次側流路とし、前記バイパス膨張装置により減圧された後の冷媒が流れる流路を２次側流路としたとき、前記１次側流路の流路断面積より、前記２次側流路の流路断面積は小さく形成されている冷凍サイクル装置である。
【００１５】
これにより、高圧冷媒が流れる１次側流路の流路断面積Ａ１より、中間圧冷媒が流れる２次側流路の流路断面積Ａ２が小さい（Ａ１＞Ａ２）ため、流路断面積が同一の場合に対して、中間圧側では冷媒、および冷凍機油の流速が上昇する。
【００１６】
従って、メイン冷媒回路からバイパス冷媒回路に分岐された冷媒とともに流れる冷凍機油の流速は、中間熱交換器内で高くなるため、冷凍機油は冷媒とともに移動しやすくなり、中間熱交換器における冷凍機油の滞留を抑制でき、低段圧縮機構と高段圧縮機構との間に戻りやすくなるため、圧縮機の摺動部における潤滑性の確保により、圧縮機の信頼性を向上させた冷凍サイクル装置を提供できる。
【００１７】
さらには、冷凍機油を低段圧縮機構と高段圧縮機構との間に戻りやすくしたことで、オイルシール効果により、圧縮機構における冷媒漏れを低減でき、圧縮機講の体積効率の向上が図れ、その結果、吐出冷媒流量および加熱能力の増大化が実現できる。
【００１８】
第２の発明は、特に、第１の発明において、前記２次側流路において、少なくとも終端部に向かって流れる冷媒の流れは、上方側から下方側に向かう流れであるものである。
【００１９】
これにより、バイパス膨張装置により減圧された後の冷媒が、中間熱交換器において、少なくとも中間熱交換器の終端部に向かって流れる冷媒と冷凍機油の流れ方向は、上方側から下方側へと向かう流れのため、メイン冷媒回路からバイパス冷媒回路に分岐された冷媒とともに流れる冷凍機油の流速が低下したとしても、冷凍機油は重力の影響により中間熱交換器内を移動しやすく中間熱交換器より流出されるため、中間熱交換器における冷凍機油の滞留を抑制でき、圧縮機の摺動部における潤滑性の確保により、圧縮機の信頼性を向上させた冷凍サイクル装置を提供できる。
【００２０】
第３の発明は、特に、第１または第２の発明において、前記中間熱交換器はプレート熱交換器であり、前記１次側流路を形成するプレート間隔より、前記２次側流路を形成するプレート間隔の方が短いものである。
【００２１】
これにより、プレート熱交換器において、高圧側の冷媒が流れる１次側流路のプレート間隔ｐ１より、中間圧側の冷媒が流れる２次側流路のプレート間隔ｐ２を短くされているため（ｐ１＞ｐ２）、プレート間隔が同一の場合に対して、中間圧側では冷媒および冷凍機油の流速が上昇する。
【００２２】
従って、メイン冷媒回路からバイパス冷媒回路に分岐された冷媒とともに流れる冷凍機油の流速はプレート熱交換器内で高くなるため、冷凍機油は冷媒とともに移動しやすくなり、メイン冷媒回路を流れる冷媒流量が少ない運転条件においても、中間熱交換器における冷凍機油の滞留を抑制でき、低段圧縮機構と高段圧縮機構との間に戻りやすくなるため、圧縮機の摺動部における潤滑性の確保により、圧縮機の信頼性を向上させた冷凍サイクル装置を提供できる。また、中間熱交換器の小型化が可能となり、冷凍サイクル装置への収納性の改善が図れる。
【００２３】
第４の発明は、特に、第１〜第３のいずれかの発明において、前記冷媒は二酸化炭素（ＣＯ２）であるものである。
【００２４】
これにより、従来、暖房機器向けの冷媒にＣＯ２を採用する場合、安定運転時では負荷側の温度差が小さくなる（例えば、入水５５℃→出水６５℃）。この場合、ＣＯ２の物性より、利用側熱交換器におけるエンタルピー差が小さくなり、運転効率が大幅に低下する問題を有しているが、バイパス冷媒回路を有する二段圧縮冷凍サイクルの冷媒にＣＯ２を採用することにより、フロン系冷媒に比べて、熱源側熱交換器における吸熱時の冷媒エンタルピー差が大幅に拡大される。
【００２５】
また、二段圧縮機の高段圧縮機構より吐出される冷媒流量は、バイパス冷媒回路とメイン冷媒回路とからの冷媒が合流することより、利用側熱交換器へ流入する冷媒流量が大幅に増大する。
【００２６】
これにより、暖房向け加熱能力が、フロン系冷媒の場合と比較して大幅に向上する冷凍サイクル装置を提供することができる。
【００２７】
第５の発明は、前記利用側熱媒体は、水または不凍液で、第１〜第４のいずれかの発明を備えた温水生成装置である。
【００２８】
これにより、圧縮機の信頼性を向上させた冷凍サイクル装置を備えた温水生成装置を提供できる。
【００２９】
以下、本発明の実施の形態について、図面を参照しながら説明する。なお、この実施の形態によって本発明が限定されるものではない。
【００３０】
（実施の形態１）
図１は、本発明の第１の実施の形態における冷凍サイクル装置の概略構成図を示すものである。図１において、冷凍サイクル装置２０は、メイン冷媒回路２１、バイパス冷媒回路３１、および、利用側熱媒体回路４１とから構成されている。
【００３１】
メイン冷媒回路２１は、低段圧縮機構２２ａと高段圧縮機構２２ｂからなる二段圧縮機２２、放熱器（利用側熱交換器）２３、エコノマイザ（中間熱交換器）２４、メイン膨張弁（メイン膨張装置）２５、蒸発器（熱源側熱交換器）２６を順次接続して構成され、冷媒として用いた自然冷媒である二酸化炭素（ＣＯ２）が循環する。
【００３２】
そして、蒸発器２６において外気より吸熱して、二段圧縮機２２にて高温高圧に圧縮された冷媒が、水搬送ポンプ４２、暖房端末４３からなる利用側熱媒体回路４１を循環する水や不凍液を、放熱器２３において熱交換（加熱）することで温水が生成され、その生成された温水は、暖房端末４３により温水暖房や、給湯に利用される
また、バイパス冷媒回路３１は、放熱器２３とエコノマイザ２４の間にある冷媒分岐点Ａから分岐した高圧冷媒の一部が、バイパス膨張弁３２により中間圧まで減圧された後に、エコノマイザ２４からメイン膨張弁２５に向かう冷媒と熱交換した後に、低段圧縮機構２２ａと高段圧縮機構２２ｂとの間にある冷媒合流点Ｂにおいて、メイン冷媒回路２１の冷媒と合流するように接続されている。
【００３３】
図２（ａ）は、本発明の第１の実施の形態におけるエコノマイザ２４の概略構成図を示す。図２（ｂ）は、図２（ａ）のＣ部拡大図である。
【００３４】
図２（ａ）に示すように、エコノマイザ２４は、外管内部に外管より径の小さい内管を挿入して、収納性を高めるべくＵ字状に成型してなる二重管熱交換器である。
【００３５】
そして、外管と内管の間に形成される環状部である１次側流路２４ａは、二段圧縮機２２から吐出した高圧冷媒が流れるメイン冷媒回路２１側の流路であり、内管内である２次側流路２４ｂは、メイン冷媒回路２１から一部が分岐してバイパス膨張弁３２により減圧された中間圧冷媒が流れるバイパス冷媒回路３１側の流路であり、１次側流路２４ａの高圧冷媒と２次側流路２４ｂの中間圧冷媒との間で熱交換が行われる。
【００３６】
そして、エコノマイザ２４において、１次側流路２４ａの流路断面積Ａ１より２次側流路２４ｂの流路断面積Ａ２を小さくし、１次側流路２４ａの入口側配管、出口側配管、２次側流路２４ｂの入口側配管２４ｂ１、出口側配管２４ｂ２は、２次側流路２４ｂの出口側配管２４ｂ２の終端部２４ｂ４より上方側に配置され、かつ、高圧冷媒と中間圧冷媒の流れは、対向流となるように配置されている。
【００３７】
さらに、エコノマイザ２４において、２次側流路２４ｂの出口側配管２４ｂ２の終端部２４ｂ４に向かって流れる中間圧冷媒の流れ方向は、上方側から下方側に向かう流れとなるように配置されている。
【００３８】
以上のように構成された冷凍サイクル装置について、以下その動作、作用を説明する。
【００３９】
図３は、本発明の第１の実施の形態における冷凍サイクル装置について理想条件での圧力―エンタルピー線図（Ｐ−ｈ線図）を示す。図３のａ〜ｅ点、およびＡ〜Ｂ点は、図１に示した冷凍サイクル装置における各ポイントに相当する。
【００４０】
まず、メイン冷媒回路２１とバイパス冷媒回路３１において、エコノマイザ２４に流入した高温の高圧冷媒（ａ点）は、放熱器２３とエコノマイザ２４の間にある冷媒分岐点Ａから分岐して、バイパス膨張弁３２により中間圧まで減圧された低温の中間圧冷媒（ｅ点）とエコノマイザ２４にて熱交換することにより、メイン膨張弁２５に流入する時点で冷却されて冷媒エンタルピーが低減された状態（ｂ点）になる。
【００４１】
これにより、メイン膨張弁２５にて減圧された後に蒸発器２６に流入する冷媒（ｃ点）の冷媒エンタルピーも低減されることになり、蒸発器２６に流入する時点での冷媒乾き度（全冷媒に対して気相成分が占める重量比率）が低下して冷媒の液成分が増大するため、蒸発器２６において蒸発に寄与すると、冷媒比率が増大して外気より吸熱量が増大され、二段圧縮機２２の低段側吸入（ｄ点）に戻る。
【００４２】
一方、蒸発器２６において蒸発に寄与しない気相成分に相当する量の冷媒は、バイパス冷媒回路３１にバイパスされて低温の中間圧冷媒（ｅ点）となり、上述したようにエコノマイザ２４にて高圧冷媒を冷却し、自身は加熱されて冷媒エンタルピーが高まった状態で、低段圧縮機構２２ａと高段圧縮機構２２ｂとの間にある冷媒合流点Ｂに至る。
【００４３】
従って、高段圧縮機構２２ｂの吸入側（Ｂ点）では、低段圧縮機構２２ａの吸入側（ｄ点）より冷媒圧力が高いため冷媒密度も高く、かつ、低段圧縮機構２２ａを吐出した冷媒と合流した冷媒が吸入された後、圧縮吐出されるため、放熱器２３に流入する冷媒流量が大幅に増大し、利用側熱媒体である水を加熱する能力が大幅に増大する効果が得られる。
【００４４】
一般に、蒸気圧縮式冷凍サイクルでは圧縮機において、冷媒を圧縮するための機構の潤滑性を確保するべく、圧縮機内に冷凍機油が封入されているが、圧縮機の内部構造や冷凍サイクルの運転条件等によっては吐出される冷媒とともに、冷媒回路へ流出する現象が生じる。
【００４５】
その場合、圧縮機から冷媒とともに冷媒回路へ流出しても、冷媒回路を介して所定値以上の流速を確保できていれば、圧縮機へ戻ってくることができ、圧縮機内の冷凍機油が大幅に減少することなく、圧縮機構の潤滑性能を低下させることはない。
【００４６】
しかし、逆に冷媒の流速が所定値以下となる低流量の場合や、閉塞されるような構造や運転条件では、冷媒より密度の高い冷凍機油は圧縮機に戻れずに、圧縮機内の冷凍機油が減少して、摺動部分の摩耗、劣化が生じる恐れがある。
【００４７】
それに対して、本実施の形態では、バイパス冷媒回路３１においてはメイン冷媒回路２１から一部の冷媒が冷媒分岐点Ａから分岐することにより、二重管熱交換器（エコノマイザ２４）の２次側流路２４ｂにおける通過冷媒流量が減少して、通過冷媒流速（冷凍機油を含む）が低下するような場合に発生し得る課題に対して、以下の作用がある。
【００４８】
図２（ｂ）に示すように、二重管熱交換器（エコノマイザ２４）において、高圧冷媒が流れる１次側流路の流路断面積Ａ１より、中間圧冷媒が流れる２次側流路の流路断面積Ａ２が小さい（Ａ１＞Ａ２）ため、流路断面積が同一の場合に対して、中間圧側では冷媒および冷凍機油の流速が上昇する。
【００４９】
これにより、冷凍機油は冷媒とともに移動しやすくなり、冷凍機油は２次側流路２４ｂの出口側配管２４ｂ２から流出しやすい構成により、二重管熱交換器（エコノマイザ２４）の内部に滞留する現象を抑制できる。
【００５０】
さらに、Ｕ字状の二重管熱交換器（エコノマイザ２４）の２次側流路２４ｂのうち、折り曲げの頂部より下流側の出口側配管２４ｂ２が、Ｕ字状の上部から下部へと重力方向と同方向に向かうように配置されているため、二重管熱交換器（エコノマイザ２４）の内部に冷凍機油が滞留することなく、二段圧縮機２２の低段圧縮機構２２ａと高段圧縮機構２２ｂとの冷媒合流点Ｂに戻される。
【００５１】
以上のように、本実施の形態においては、メイン冷媒回路２１と、放熱器２３とエコノマイザ２４の間から分岐してバイパス膨張弁３２により減圧された中間圧冷媒と、エコノマイザ２４からメイン膨張弁２５に向かう高圧冷媒とが熱交換した後に、低段圧縮機構２２ａと高段圧縮機構２２ｂとの冷媒合流点に至るバイパス冷媒回路３１とから構成され、エコノマイザ２４の１次側流路２４ａの流路断面積Ａ１より２次側流路２４ｂの流路断面積Ａ２を小さくし、かつ、２次側流路２４ｂの出口側配管２４ｂ２がＵ字状の上部から下部へと重力方向と同方向に向かうように配置されていることで、流路断面積が同一の場合に対して、２次側流路２４ｂの中間圧側では冷媒の流速が上昇することに加え、２次側流路２４ｂの出口側配管２４ｂ２の終端部２４ｂ４に向かう中間圧冷媒の流れ方向が、上方側から下方側へと向かう方向の構成のため、冷凍機油は冷媒とともに二重管熱交換器（エコノマイザ２４）の出口側配管２４ｂ２から流出しやすく、冷凍機油が二重管熱交換器（エコノマイザ２４）の内部に滞留する現象を抑制できる。
【００５２】
その結果、二段圧縮機２２に冷凍機油を戻すことができ、圧縮機の摺動部における潤滑油確保による信頼性向上およびオイルシール効果による圧縮時の冷媒漏れを低減でき、その結果、圧縮機の体積効率の向上が図れ、吐出冷媒流量および加熱能力の増大化が実現できる。
【００５３】
次に、エコノマイザ２４の小型化のために、複数の金属プレートにより１次側流路と２次側流路が交互に多数積層され、圧力損失が低く、伝熱性能が高いプレート熱交換器を採用した場合の実施の形態について説明する。
【００５４】
図４（ａ）は、エコノマイザ（プレート熱交換器）の概略断面図、図２（ｂ）はエコノマイザ（プレート熱交換器）の概略斜視図、図５は、エコノマイザ（プレート熱交換器）の設置の形態を示す図である。
【００５５】
図４（ａ）、図４（ｂ）、図５に示すように、１次側流路２４ａは二段圧縮機２２から吐出した高圧冷媒が流れるメイン冷媒回路２１側の流路であり、２次側流路２４ｂはメイン冷媒回路２１から一部が分岐してバイパス膨張弁３２により減圧された中間圧冷媒が流れるバイパス冷媒回路３１側の流路であり、１次側流路２４ａを構成する仕切りプレート間隔（流路幅）ｐ１に対して、２次側流路２４ｂを構成する仕切りプレート間隔（流路幅）ｐ２が短くなるように構成され、１次側流路２４ａの高圧冷媒と２次側流路２４ｂの中間圧冷媒との間で熱交換が行われる。
【００５６】
また、プレート熱交換器であるエコノマイザ２４では、１次側流路２４ａの始端部が下部に、終端部が上部に配置され、冷媒の流れ方向が下方側から上方側へと向かう流れとしている。
【００５７】
一方、中間圧冷媒は高圧冷媒と対向流の流れになるように、２次側流路２４ｂの始端部２４ｂ３が上方側に、終端部２４ｂ４が下方側に配置され、２次側流路２４ｂの終端部２４ｂ４に向かって流れる冷媒の流れは、上方側から下方側に向かう流れとなっている。
【００５８】
以上のように構成された冷凍サイクル装置について、以下その動作、作用を説明する。
【００５９】
本実施の形態では、バイパス冷媒回路３１においてはメイン冷媒回路２１から一部の冷媒が冷媒分岐点Ａから分岐することにより、プレート熱交換器（エコノマイザ２４）の２次側流路２４ｂでは通過冷媒流量が減少し、冷媒が流れる冷媒経路（冷媒パス）が多い場合はさらに、各冷媒パスを通過する冷媒流速（冷凍機油を含む）が低下するという課題に対して、プレート熱交換器（エコノマイザ２４）において以下の作用がある。
【００６０】
プレート熱交換器（エコノマイザ２４）の２次側流路２４ｂの仕切りプレート間隔（流路幅）は、１次側流路２４ａの仕切りプレート間隔（流路幅）より短くなるように構成されているため、２次側流路２４ｂを中間圧冷媒が流れる流路断面積は１次側流路２４ａを高圧冷媒が流れる流路断面積より小さくなる。
【００６１】
従って、同一冷媒流量であれば、２次側流路２４ｂを流れる中間圧冷媒の平均流速は、仕切りプレート間隔が同一の場合に比べて速くなる。
【００６２】
その結果、２次側流路２４ｂにおいては、平均流速が速くなった中間圧で気液二相冷媒とともに、液冷媒に溶解している冷凍機油やミスト状の冷凍機油は、プレート熱交換器（エコノマイザ２４）の２次側流路２４ｂを、終端部２４ｂ４に向かって上方側から下方側へと高速で移動するため、冷凍機油は２次側流路２４ｂから流出しやすく、その結果、冷凍機油のプレート熱交換器（エコノマイザ２４）内での滞留を抑制でき、二段圧縮機２２の低段圧縮機構２２ａと高段圧縮機構２２ｂとの冷媒合流点Ｂに戻される。
【００６３】
その結果、プレート熱交換器（エコノマイザ２４）の２次側流路２４ｂ内に滞留することはなく、圧縮機内へ冷凍機油を戻すことができ、冷凍機油確保による信頼性の向上を図ることができる。
【００６４】
加えて、エコノマイザ２４が二重管熱交換器である場合に比べて、エコノマイザ２４の小型化が可能となり、冷凍サイクル装置への収納性の改善が図れる。
【００６５】
以上のように、本実施の形態においては、エコノマイザ２４としてプレート熱交換器を採用し、１次側流路２４ａを構成する仕切りプレート間隔（流路幅）ｐ１に対して、２次側流路２４ｂを構成する仕切りプレート間隔（流路幅）ｐ２が短くなるように構成し、かつ、中間圧側の２次側流路２４ｂにおいて、終端部２４ｂ４に向かって流れる冷媒の流れを、上方側から下方側に向かう流れとすることにより、２次側流路２４ｂを流れる中間圧冷媒の平均流速は、仕切りプレート間隔が同一の場合に比べて速くなることに加え、メイン冷媒回路２１からバイパス冷媒回路３１に分岐された冷媒とともに流れる冷凍機油の流速が低下したとしても、冷凍機油は重力方向と同方向に向かうように配置されているため、プレート熱交換器（エコノマイザ２４）内に滞留する現象を抑制できる。
【００６６】
その結果、エコノマイザ２４にプレート熱交換器を採用した場合でも、二段圧縮機２２に冷凍機油を戻すことができ、圧縮機の摺動部における潤滑油確保による信頼性向上およびオイルシール効果による圧縮時の冷媒漏れを低減でき、圧縮機の体積効率の向上が図れ、その結果、吐出冷媒流量および加熱能力の増大化が可能となるだけでなく、中間熱交換器を二重管熱交換器の場合に比べて、中間熱交換器の小型化が実現できる。
【００６７】
なお、本実施の形態では、二段圧縮機２２について低段圧縮機構２２ａと高段圧縮機構２２ｂが同一容器（シェル）内にからなる二段圧縮機２２としているが、低段圧縮機構２２ａおよび高段圧縮機構２２ｂが、それぞれが独立して２台の圧縮機として構成されても同様の効果が得られるものである。
【００６８】
さらに、メイン冷媒回路２１からバイパス冷媒回路へ分岐する冷媒分岐点Ａについては、本実施の形態では、放熱器２３とエコノマイザ２４との間としているが、エコノマイザ２４とメイン膨張弁２５との間としてもよく、圧縮機の信頼性面や冷凍サイクル装置の運転性能面でも同等の効果が得られるものである。
【産業上の利用可能性】
【００６９】
以上のように、本発明にかかる冷凍サイクル装置は、中間熱交換器を備えた主冷媒回路（メイン冷媒回路）と副冷媒回路（バイパス冷媒回路）からなり、中間熱交換器内に冷凍機油が滞留することを抑制でき、圧縮機の信頼性を向上できるので、冷凍サイクル装置を用いた冷凍、空調、給湯、暖房機器等に有用である。
【符号の説明】
【００７０】
２０  冷凍サイクル装置
２１  メイン冷媒回路
２２  二段圧縮機
２２ａ  低段圧縮機構
２２ｂ  高段圧縮機構
２３  放熱器（利用側熱交換器）
２４  エコノマイザ（中間熱交換器）
２４ａ  １次側流路
２４ｂ  ２次側流路
２４ｂ１  入口側配管（２次側流路）
２４ｂ２  出口側配管（２次側流路）
２４ｂ３  始端部（２次側流路）
２４ｂ４  終端部（２次側流路）
２５  メイン膨張弁（メイン膨張装置）
２６  蒸発器（熱源側熱交換器）
３１  バイパス冷媒回路
３２  バイパス膨張弁（バイパス膨張装置）
Ａ１  １次側流路の流路断面積
Ａ２  ２次側流路の流路断面積
Ａ  冷媒分岐点
Ｂ  冷媒合流点
ｐ１  １次側流路のプレート間隔
ｐ２  ２次側流路のプレート間隔
【図１】
2019158189.tif 000003
【図２】
2019158189.tif 000004
【図３】
2019158189.tif 000005
【図４】
2019158189.tif 000006
【図５】
2019158189.tif 000007
【図６】
2019158189.tif 000008